(57)【特許請求の範囲】
【請求項１】
ＣＯ２排出量の削減を支援するＣＯ２削減メディアシステムであって、
エネルギー使用量を特定可能なエネルギー使用量データを取得して、取得したエネルギー使用量データを、取得日時情報に関連づけて記憶部に記憶させるエネルギー使用量取得手段と、
エネルギー使用量の監視画像を生成する監視画像生成手段と、
データ演算に用いるパラメータを受け付けて前記記憶部に記憶させるパラメータ受付手段と、を含み、
前記監視画像生成手段は、
前記記憶部に記憶されているエネルギー使用量データに基づき所与の期間のＣＯ２排出量とＣＯ２排出量の目標値と予想ＣＯ２排出量を演算するデータ演算手段と、
前記所与の期間のＣＯ２排出量とＣＯ２排出量の目標値と予想ＣＯ２排出量をグラフ化したグラフ画像を生成するグラフ画像生成手段と、を含み、
前記エネルギー使用量取得手段は、
複数の年度にわたるエネルギー使用量データを取得して、取得したエネルギー使用量データを、前記取得日時情報に関連づけて前記記憶部に記憶させ、
前記パラメータ受付手段は、
前記ＣＯ２排出量の目標値の演算にどの年度のデータを使用するかを特定するための第３のパラメータを受け付け、
前記データ演算手段は、
前記第３のパラメータで指定された年度のエネルギー使用量データを前記記憶部から読み出して、読み出したエネルギー使用量データに基づき前記所与の期間のＣＯ２排出量の目標値を演算し、
前記所与の期間の基準時から現時点までのエネルギー使用量データを前記記憶部から読み出して、読み出したエネルギー使用量データに基づきＣＯ２排出量の累計値の時間軸に対する傾きを求め、当該傾きを過去のＣＯ２排出量のデータ遷移が示す季節特性又は時間特性に応じて修正して前記所与の期間の予想ＣＯ２排出量の傾きを演算するＣＯ２削減メディアシステム。
【請求項２】
請求項１において、
前記グラフ画像生成手段は、
ＣＯ２排出量とＣＯ２排出量の目標値の乖離状態がグラフ上で可視化表示されたグラフ画像を生成するＣＯ２削減メディアシステム。
【請求項３】
請求項１又は２において、
前記パラメータ受付手段は、
エネルギー使用量からＣＯ２排出量を演算する際に使用する第１のパラメータを受け付け、
前記データ演算手段は、
前記記憶部に記憶されているエネルギー使用量及び前記第１のパラメータに基づき予想ＣＯ２排出量を演算するＣＯ２削減メディアシステム。
【請求項４】
請求項１乃至３のいずれかにおいて、
前記パラメータ受付手段は、
過去のエネルギー使用量から目標値を演算する際に使用する第２のパラメータを受け付け、
前記データ演算手段は、
過去のＣＯ２排出量及び前記第２のパラメータに基づいて所与の期間のＣＯ２排出量の目標値を演算するＣＯ２削減メディアシステム。
【請求項５】
請求項１乃至４のいずれかにおいて、
前記データ演算手段は、
ＣＯ２排出量、ＣＯ２排出量の目標値、予想ＣＯ２排出量の少なくとも一つについて所与の期間の累計値を演算し、
前記監視画像生成手段は、
ＣＯ２排出量、ＣＯ２排出量の目標値、予想ＣＯ２排出量の少なくとも一つについての所与の期間の累計値が表示された監視画像を生成するＣＯ２削減メディアシステム。
【請求項６】
請求項１乃至５のいずれかにおいて、
前記データ演算手段は、
ＣＯ２排出量の通貨換算値を演算し、
前記監視画像生成手段は、
前記通貨換算値が表示された監視画像を生成するＣＯ２削減メディアシステム。
【請求項７】
請求項１乃至６のいずれかにおいて、
前記監視画像生成手段は、
ＣＯ２排出量及びＣＯ２排出量の目標値の比較結果に基づいてメッセージ画像を生成するメッセージ画像生成手段を含み、
前記メッセージ画像を含む監視画像を生成するＣＯ２削減メディアシステム。
【請求項８】
請求項１乃至７のいずれかにおいて、
前記データ演算手段は、
ＣＯ２排出量及びＣＯ２排出量の目標値の比較結果に基づいて警告画像又は警告報を生成する警告画像生成手段を含み、
前記警告画像を含む監視画像を生成することを特徴とするＣＯ２削減メディアシステム。
【請求項９】
請求項１乃至８のいずれかにおいて、
前記エネルギー使用量取得手段は、
取得したエネルギー使用量データを、取得地点を特定する取得地点特定情報に関連づけて記憶部に記憶させ、
前記エネルギー使用量データの取得地点情報によってエネルギー使用量データをグループ分けするグループ設定手段を含み、
前記データ演算手段は、
所与の期間に取得したエネルギー使用量データに基づきグループ単位でＣＯ２排出量、ＣＯ２排出量の目標値、予想ＣＯ２排出量の少なくとも１つを演算し、
前記グラフ画像生成手段は、
前記グループ単位でグラフ画像を生成するＣＯ２削減メディアシステム。
【請求項１０】
請求項９において、
前記グラフ画像生成手段は、
所定のモードが設定されている場合には、複数のグループのグラフ画像が一覧表示された監視画像を生成することを特徴とするＣＯ２削減メディアシステム。
【請求項１１】
コンピュータを用いてＣＯ２排出量の削減を支援するＣＯ２排出量削減支援方法であって、
エネルギー使用量を特定可能なエネルギー使用量データを取得して、取得したエネルギー使用量データを、取得日時情報に関連づけて記憶部に記憶させるエネルギー使用量取得ステップと、
エネルギー使用量の監視画像を生成する監視画像生成ステップと、
データ演算に用いるパラメータを受け付けて前記記憶部に記憶させるパラメータ受付ステップと、を含み、
前記監視画像生成ステップは、
前記記憶部に記憶されているエネルギー使用量データに基づき所与の期間のＣＯ２排出量とＣＯ２排出量の目標値と予想ＣＯ２排出量を演算するデータ演算ステップと、
前記所与の期間のＣＯ２排出量とＣＯ２排出量の目標値と予想ＣＯ２排出量をグラフ化したグラフ画像を生成するグラフ画像生成ステップと、を含み、
前記エネルギー使用量取得ステップにおいて、
複数の年度にわたるエネルギー使用量データを取得して、取得したエネルギー使用量データを、前記取得日時情報に関連づけて前記記憶部に記憶させ、
前記パラメータ受付ステップにおいて、
前記ＣＯ２排出量の目標値の演算にどの年度のデータを使用するかを特定するための第３のパラメータを受け付け、
前記データ演算ステップにおいて、
前記第３のパラメータで指定された年度のエネルギー使用量データを前記記憶部から読み出して、読み出したエネルギー使用量データに基づき前記所与の期間のＣＯ２排出量の目標値を演算し、
前記所与の期間の基準時から現時点までのエネルギー使用量データを前記記憶部から読み出して、読み出したエネルギー使用量データに基づきＣＯ２排出量の累計値の時間軸に対する傾きを求め、当該傾きを過去のＣＯ２排出量のデータ遷移が示す季節特性又は時間特性に応じて修正して前記所与の期間の予想ＣＯ２排出量の傾きを演算し、
前記コンピュータが上記各ステップの処理を実行するＣＯ２排出量削減支援方法。
【発明の詳細な説明】
【技術分野】
【０００１】
本発明は、ＣＯ２削減メディアシステム及びＣＯ２削減支援方法に関する。
【背景技術】
【０００２】
近年、国及び地方公共団体から特定事業者に対するＣＯ２削減規制の動きが活発化しているが、多くの企業ではその対処方法がほとんど準備されていない状態である。各企業においてＣＯ２削減をはかるためには、企業の施設のエネルギー使用状況を把握し、企業内におけるエネルギー需要の管理、抑制を図ることが必要となる。
【先行技術文献】
【特許文献】
【０００３】
【特許文献１】特開２００９−７１９７３号
【発明の概要】
【発明が解決しようとする課題】
【０００４】
施設のエネルギー使用状況を把握するシステムとしては、ＢＥＭＳ（ビルディングエネルギーマネジメントシステム）等が知られている。ＢＥＭＳは施設のエネルギー使用状況を把握し、分位別エネルギー消費量の動向分析、最適化を図ることができる。
【０００５】
しかし、ＣＯ２排出量の予測や国内排出量取引のためのクレジットの売買量及び予算化の予測を行うことはできない。
【０００６】
本発明は、このような点に着目してなされたものである。本発明のいくつかの態様によれば「見える化」により企業等のＣＯ２削減の目標達成をサポートするためのＣＯ２削減メディアシステム及び及びＣＯ２削減支援方法を提供し、企業毎に課せられるＣＯ２削減目標の達成を図るものである。
【課題を解決するための手段】
【０００７】
（１）本発明は、ＣＯ２排出量の削減を支援するＣＯ２削減メディアシステムであって、エネルギー使用量を特定可能なエネルギー使用量データを取得して、取得したエネルギー使用量データを、取得日時情報に関連づけて記憶部に記憶させるエネルギー使用量取得手段と、エネルギー使用量の監視画像を生成する監視画像生成手段を含み、前記監視画像生成手段は、前記記憶部に記憶されているエネルギー使用量データに基づき所与の期間のＣＯ２排出量と、ＣＯ２排出量の目標値を演算するデータ演算手段と、所与の期間のＣＯ２排出量とＣＯ２排出量の目標値をグラフ化したグラフ画像を生成するグラフ画像生成手段と、を含み、グラフ画像を含む監視画像を生成する。
【０００８】
本発明によれば、削減目標に対する実施途中の排出状況をモニタ等に表示された監視画像でリアルタイムに確認することができるので、ＣＯ２排出量の削減状況の直近の予想とその対策の準備を行うことができる。
【０００９】
（２）このＣＯ２削減メディアシステムは、前記データ演算手段が、前記記憶部に記憶されているエネルギー使用量に基づき予想ＣＯ２排出量を演算し、前記グラフ画像生成手段は、 所与の期間の予想ＣＯ２使用量をグラフ化したグラフ画像を生成してもよい。
【００１０】
このようにすれば、予想ＣＯ２排出量によって、目標達成の可能性の判断や最終的なＣＯ２排出量に応じて必要なクレジット売買のための予算化等を計画的に準備することができる。
【００１１】
（３）このＣＯ２削減メディアシステムは、前記グラフ画像生成手段が、ＣＯ２排出量とＣＯ２排出量の目標値の乖離状態がグラフ上で可視化表示されたグラフ画像を生成してもよい。
【００１２】
このようにすれば、現在のＣＯ２排出量と目標値との乖離がビジュアルの把握可能なので、ＣＯ２排出量削減の強い動機付けを与えることができる。
【００１３】
（４）このＣＯ２削減メディアシステムは、データ演算に用いるパラメータを受け付けて記憶部に記憶させるパラメータ受付手段を含み、前記パラメータ受付手段が、エネルギー使用量からＣＯ２排出量を演算する際に使用する第１のパラメータを受け付け、前記データ演算手段が、前記記憶部に記憶されているエネルギー使用量及び第１のパラメータに基づき予想ＣＯ２排出量を演算してもよい。
【００１４】
（５）このＣＯ２削減メディアシステムは、前記パラメータ受付手段が、過去のエネルギー使用量から目標値を演算する際に使用する第２のパラメータを受け付け、前記データ演算手段が、過去のＣＯ２排出量及び第２のパラメータに基づいて所与の期間のＣＯ２排出量の目標値を演算してもよい。
【００１５】
（６）このＣＯ２削減メディアシステムは、前記パラメータ受付手段が、ＣＯ２排出量の目標値の演算に使用する過去のエネルギー使用量データを抽出するための第３のパラメータを受け付け、前記データ演算手段が、第３のパラメータに基づき記憶部に記憶されているエネルギー使用量を抽出して、抽出したエネルギー使用量に基づき所与の期間のＣＯ２排出量の目標値を演算してもよい。
【００１６】
（７）このＣＯ２削減メディアシステムは、前記データ演算手段が、ＣＯ２排出量、ＣＯ２排出量の目標値、予想ＣＯ２排出量の少なくとも一つについて所与の期間の累計値を演算し、前記監視画像生成手段が、ＣＯ２排出量、ＣＯ２排出量の目標値、予想ＣＯ２排出量の少なくとも一つについての所与の期間の累計値が表示された監視画像を生成してもよい。
【００１７】
（８）このＣＯ２削減メディアシステムは、前記データ演算手段が、ＣＯ２排出量の通過換算値を演算し、前記監視画像生成手段が、前記通過換算値が表示された監視画像を生成してもよい。
【００１８】
（９）このＣＯ２削減メディアシステムは、前記監視画像生成手段が、ＣＯ２排出量及びＣＯ２排出量の目標値の比較結果に基づいてメッセージ画像を生成するメッセージ画像生成手段を含み、前記メッセージ画像を含む監視画像を生成してもよい。
【００１９】
（１０）このＣＯ２削減メディアシステムは、前記データ演算手段が、ＣＯ２排出量及びＣＯ２排出量の目標値の比較結果に基づいて警告画像を生成する警告画像生成手段を含み、前記警告画像を含む監視画像を生成してもよい。
【００２０】
（１１）このＣＯ２削減メディアシステムは、前記エネルギー使用量取得手段が、取得したエネルギー使用量データを、取得地点を特定する取得地点特定情報に関連づけて記憶部に記憶させ、前記エネルギー使用量データの取得地点情報によってエネルギー使用量データをグループ分けするグループ設定手段を含み、前記データ演算手段が、所与の期間に取得したエネルギー使用量データに基づきグループ単位でＣＯ２排出量、ＣＯ２排出量の目標値、予想ＣＯ２排出量の少なくとも１つを演算し、前記グラフ画像生成手段が、前記グループ単位でグラフ画像を生成してもよい。
【００２１】
（１２）このＣＯ２削減メディアシステムは、前記グラフ画像生成手段が、所定のモードが設定されている場合には、複数のグループのグラフ画像が一覧表示された監視画像を生成してもよい。
【００２２】
（１３）本発明は、ＣＯ２排出量の削減を支援するＣＯ２排出量削減支援方法であって、エネルギー使用量を特定可能なエネルギー使用量データを取得して、取得したエネルギー使用量データを、取得日時情報に関連づけて記憶部に記憶させるエネルギー使用量取得ステップと、エネルギー使用量の監視画像を生成する監視画像生成ステップを含み、前記監視画像生成ステップは、前記記憶部に記憶されているエネルギー使用量データに基づき所与の期間のＣＯ２排出量と、ＣＯ２排出量の目標値を演算するデータ演算ステップと、
所与の期間のＣＯ２排出量とＣＯ２排出量の目標値をグラフ化したグラフ画像を生成するグラフ画像生成ステップと、を含み、グラフ画像を含む監視画像を生成する。
【図面の簡単な説明】
【００２３】
【図１】本実施の形態のＣＯ２削減メディアシステムについて説明するための図。
【図２】本実施の形態のＣＯ２削減メディアシステムの機能ブロック図の一例。
【図３】サーバ装置と複数のユーザコンピュータがネットワークを介して接続され、ＣＯ２削減メディアシステム１をＷｅｂ上で実施する構成を説明するための図。
【図４】データ記憶装置に記憶されているエネルギー使用量データについて説明する図。
【図５】ＣＯ２排出量監視画像（１日）の一例。
【図６】ＣＯ２排出量監視画像（１月）の一例。
【図７】ＣＯ２排出量監視画像（１年）の一例。
【図８】ＣＯ２排出量監視画像（１年）の他の一例。
【図９】ＣＯ２排出量監視画像（１年）の他の一例。
【図１０】ＣＯ２排出量監視画像（１年）の他の一例。
【図１１】警告画像の出力例を示す図。
【図１２】警告画像の他の出力例を示す図。
【図１３】グループ単位のグラフ画像の一覧表示について説明するための図。
【図１４】グループ設定テーブルの一例。
【図１５】グループ別のＣＯ２排出量監視画像（１日）の一例。
【図１６】パラメータ設定画面の一例。
【図１７】パラメータ設定処理の流れについて説明するためのフローチャート。
【図１８】１日分の監視画像生成処理の流れについて説明するためのフローチャート。
【図１９】１月分の監視画像生成処理の流れについて説明するためのフローチャート。
【図２０】１年分の監視画像生成処理の流れについて説明するためのフローチャート。
【発明を実施するための形態】
【００２４】
１．構成
図１は、本実施の形態のＣＯ２削減メディアシステムについて説明するための図である。
【００２５】
本実施の形態のＣＯ２削減メディアシステムは、パーソナルコンピュータ等のコンピュータ１０とデータ記憶装置２０を含む。
【００２６】
データ記憶装置２０は、ガスメータ（図示せず）や分電盤５０や動力盤５２等に設置されエネルギー使用量を計測するエネルギー使用量測定機器３０からのエネルギー使用量データを受けとり記憶する。エネルギー使用量データは使用したエネルギー量の累計値で表されたデータでもよい。エネルギー使用量測定機器３０として、ビル等に設置されている複数の分電盤５０や動力盤５２に使用された電力量を測定するための電力ロガー等を設置してもよい。電力ロガーは各分電盤５０や各動力盤５２毎に設置してもよい。電力ロガー等のエネルギー使用量測定機器３０はデータ記憶装置２０に接続され、データ記憶装置２０は、各エネルギー使用量測定機器３０単位で電力データ（エネルギー使用量の一例）を記憶するようにしてもよい。
【００２７】
図２は、本実施の形態のＣＯ２削減メディアシステム１００の機能ブロック図の一例である。なお、本実施形態のＣＯ２削減メディアシステム１００は、図１の構成要素（各部）を全て含む必要はなく、その一部を省略した構成としてもよい。
【００２８】
操作部１６０は、ユーザの操作等をデータとして入力するためのものであり、その機能は、例えばキーボードやマウスやポインティングデバイス等のハードウェアにより実現できる。
【００２９】
記憶部１７０は、処理部１１０や通信部１９６などのワーク領域となるもので、その機能はＲＡＭなどのハードウェアにより実現できる。
【００３０】
情報記憶媒体１８０（コンピュータにより読み取り可能な媒体）は、プログラムやデータなどを格納するものであり、その機能は、光ディスク（ＣＤ、ＤＶＤ等）、光磁気ディスク（ＭＯ）、磁気ディスク、ハードディスク、磁気テープ、或いはメモリ（ＲＯＭ）などのハードウェアにより実現できる。
【００３１】
情報記憶媒体１８０は、データ記憶装置として機能し、電力ロガー等のエネルギー使用量測定機器から受け取ったエネルギー使用量データ１８２が測定機器別ＩＤに関連づけて記憶されている。
【００３２】
処理部１１０は、この情報記憶媒体１８０に格納されるプログラム（データ）や情報記憶媒体１８０から読み出されたデータなどに基づいて本実施形態の種々の処理を行う。即ち情報記憶媒体１８０には、本実施形態の各部としてコンピュータを機能させるためのプログラム（各部の処理をコンピュータに実行させるためのプログラム）が記憶される。
【００３３】
表示部１９０は、本実施形態により生成された画像を出力するものであり、その機能は、ＣＲＴディスプレイ、ＬＣＤ（液晶ディスプレイ）、ＯＥＬＤ有機ＥＬディスプレイ、ＰＤＰ（プラズマディスプレイパネル）、タッチパネル型ディスプレイなどのハードウェアにより実現できる。表示部に本実施の形態で生成された監視画像が表示される。
【００３４】
音出力部１９２は、本実施形態により生成された音を出力するものであり、その機能は、スピーカ、或いはヘッドフォンなどのハードウェアにより実現できる。
【００３５】
処理部１１０（プロセッサ）は、操作部１６０からの操作データやプログラムなどに基づいて、データ処理や画像生成処理や生成した画像の表示制御などを行う。この処理部１１０は記憶部１７０をワーク領域として各種処理を行う。処理部１１０の機能は各種プロセッサ（ＣＰＵ、ＤＳＰ等）、ＡＳＩＣ（ゲートアレイ等）などのハードウェアや、アプリケーションプログラム、ＯＳ（例えば汎用ＯＳ等）により実現できる。
【００３６】
処理部１１０は、エネルギー使用量取得部１２０、監視画像生成部１３０、パラメータ受付部１４０を含む。
【００３７】
監視画像生成部１３０は、データ演算部１３２、グラフ画像生成部１３３，メッセージ画像生成部１３４、警告画像生成部１３５、グループ特定部１３６を含む。
【００３８】
エネルギー使用量取得部１２０は、エネルギー使用量を特定可能なエネルギー使用量データを取得して、取得したエネルギー使用量データ１８２を、取得日時情報に関連づけて記憶部（ここでは情報記憶媒体１８０）に記憶させる。監視画像生成部１３０は、エネルギー使用量の監視画像を生成する。監視画像生成部１３０は、記憶部（ここでは情報記憶媒体１８０）に記憶されているエネルギー使用量データ１８２に基づき所与の期間のＣＯ２排出量と、ＣＯ２排出量の目標値を演算するデータ演算部１３２と、 所与の期間のＣＯ２排出量とＣＯ２排出量の目標値をグラフ化したグラフ画像を生成するグラフ画像生成部１３３を含む。
【００３９】
所与の期間とは、たとえば１日、１月、１年でもよいし、それ以外の長さの期間でもよい。また所与の期間は現時点を含む期間でもよい。例えば現時点を含む１日のグラフとは本日のグラフであり、現時点を含む１月のグラフとは当月のグラフであり、現時点を含む１日のグラフとは本年のグラフである。
【００４０】
エネルギー使用量取得部１２０は、電気、ガス、水道、重油、軽油等の使用量をエネルギー使用量として取得してもよい。例えば電気の動力盤や分電盤等に電力ロガー等の電力量計測装置を設置して電力使用量をもとめてもよい。取得したデータは、例えばサーバ等の記憶部に蓄積してもよい。電力量計測装置とサーバをＬＡＮ等のネットワークを介して接続して電力量計測装置の計測値を自動的にサーバに蓄積するようにしてもよい。
【００４１】
ＣＯ２排出量とＣＯ２排出量の目標値のグラフ画像は、例えばＣＯ２排出量の累計値と目標値の累計値の折れ線グラフでもよいし、ＣＯ２排出量と目標値を単位期間毎に棒グラフとしたものでもよい。
【００４２】
ＣＯ２排出量の目標値は過去数年間のエネルギー使用実績に基づき求めてもよい。例えば月単位や日単位の目標値の場合は過去の同じ月や同じ日、又はその日や月付近のエネルギー使用実績に基づき決定してもよい。このようにすると季節特性を反映することができる。
【００４３】
データ演算部１３２は、記憶部（ここでは情報記憶媒体１８０）に記憶されているエネルギー使用量１８２に基づき予想ＣＯ２排出量を演算し、グラフ画像生成部１３３は、所与の期間の予想ＣＯ２排出量をグラフ化したグラフ画像を生成する。
【００４４】
予想ＣＯ２排出量は、例えば所与の期間の開示点から現在までのＣＯ２排出量に基づき、所与の期間の現時点から所与の期間の終点までの予想ＣＯ２排出量を求めてもよい。この場合、所与の期間の開示点から現在までのＣＯ２排出量に基づき、ＣＯ２排出量のグラフの傾きを求め、求めた傾きと同じ傾きで、所与の期間の現時点から所与の期間の終点までの予想ＣＯ２排出量が推移するとして予想ＣＯ２排出量を求めてもよい。また過去の対応する期間（例えば日、月、年等）のＣＯ２排出量の実績値又はその平均値に基づき予想ＣＯ２排出量を演算してもよい。このようにすると季節特性を反映することができる。
【００４５】
グラフ画像生成部１３３は、ＣＯ２排出量とＣＯ２排出量の目標値の乖離状態がグラフ上で可視化表示されたグラフ画像を生成してもよい。
【００４６】
データ演算部１３２は、所与の期間の予想ＣＯ２排出量と所与の期間のＣＯ２排出量の目標値に基づき所与の期間の目標達成率を演算し、監視画像生成部１３０は、目標達成率が表示された監視画像を生成してもよい。
【００４７】
パラメータ受付部１４０は、データ演算に用いるパラメータを受け付けて記憶部１７０に記憶させてもよい。パラメータ受付部１４０は、エネルギー使用量からＣＯ２排出量を演算する際に使用する第１のパラメータを受け付け、データ演算部１３２は、記憶部に記憶されているエネルギー使用量及び第１のパラメータに基づき予想ＣＯ２排出量を演算してもよい。
【００４８】
第１のパラメータは、例えば排出係数でもよい。データ演算部１３２は、例えばＣＯ２排出量＝エネルギー使用量×排出係数の演算を行って、ＣＯ２排出量を求めるようにしてもよい。
【００４９】
前記パラメータ受付部１４０は、過去のエネルギー使用量から目標値を演算する際に使用する第２のパラメータを受け付け、前記データ演算部１３２は、過去のＣＯ２排出量及び第２のパラメータに基づいて所与の期間のＣＯ２排出量の目標値を演算してもよい。
【００５０】
第２のパラメータは、例えば削減目標率（割合）でもよいし、削減目標値でもよい。データ演算手段は、例えばＣＯ２排出量の目標値＝所与の期間に対応する過去の期間のＣＯ２排出量×目標削減率の演算を行って、ＣＯ２排出量の目標値を求めるようにしてもよい。
【００５１】
パラメータ受付部１４０は、ＣＯ２排出量の目標値の演算に使用する過去のエネルギー使用量データを抽出するための第３のパラメータを受け付け、データ演算部１３２は、第３のパラメータに基づき記憶部に記憶されているエネルギー使用量を抽出して、抽出したエネルギー使用量に基づき所与の期間のＣＯ２排出量の目標値を演算してもよい。
【００５２】
第３のパラメータは、例えば過去何年分のエネルギー使用量データをＣＯ２排出量の目標値の演算に使用するかを指定するためのパラメータであり、例えば昨年のデータを使うとか、過去３年分のデータの平均値を使うとかを指定できるようにしてもよい。なお過去のエネルギー使用量データの入力設定は自由に選択（例えば手入力、又はデータベースから自動入力の選択）できるようにしてもよい。データ演算手段は、第３のパラメータに基づき記憶部に記憶されているエネルギー使用量を抽出して、抽出したエネルギー使用量に基づき所与の期間のＣＯ２排出量の遷移のモデルパターンを演算し、演算したＣＯ２排出量の遷移のモデルパターンと削減目標率や削減目標値に基づいてＣＯ２排出量の目標値を演算してもよい。
【００５３】
データ演算部１３２は、ＣＯ２排出量、ＣＯ２排出量の目標値、予想ＣＯ２排出量の少なくとも一つについて所与の期間の累計値を演算し、監視画像生成部１３０は、ＣＯ２排出量、ＣＯ２排出量の目標値、予想ＣＯ２排出量の少なくとも一つについての所与の期間の累計値が表示された監視画像を生成してもよい。
【００５４】
データ演算部１３２は、ＣＯ２排出量の通貨換算値を演算し、監視画像生成部１３０は、通貨換算値が表示された監視画像を生成してもよい。
【００５５】
監視画像生成部１３０は、ＣＯ２排出量及びＣＯ２排出量の目標値の比較結果に基づいてメッセージ画像を生成するメッセージ画像生成手段を含み、メッセージ画像を含む監視画像を生成してもよい。
【００５６】
データ演算部１３２は、ＣＯ２排出量及びＣＯ２排出量の目標値の比較結果に基づいて警告画像を生成する警告画像生成部１３５を含み、警告画像を含む監視画像を生成するようにしてもよい。
【００５７】
警告画像は、例えば警告用の表示物の画像でもよいし、監視画像の背景色が変更された画像でもよいし、グラフ画像のグラフの色が変更された画像でもよい。なお警告用の音声やブザーを生成、出力するようにしてもよい。
【００５８】
エネルギー使用量取得部１２０は、取得したエネルギー使用量データを、取得地点を特定する取得地点特定情報に関連づけて記憶部に記憶させ、エネルギー使用量データの取得地点情報によってエネルギー使用量データをグループ分けするグループ設定部１３６を含み、データ演算部１３２は、所与の期間に取得したエネルギー使用量データに基づきグループ単位でＣＯ２排出量、ＣＯ２排出量の目標値、予想ＣＯ２排出量の少なくとも１つを演算し、グラフ画像生成部１３３は、グループ単位でグラフ画像を生成するようにしてもよい。
【００５９】
グループは１つ又は複数のエネルギー使用量測定機器で構成することができる。グループを構成するエネルギー使用量測定機器は、例えばグループ設定テーブル等に記憶させ、適宜変更できるようにしてもよい。
【００６０】
グラフ画像生成部１３３は、所定のモードが設定されている場合には、複数のグループのグラフ画像が一覧表示された監視画像を生成してもよい。
【００６１】
図３は、サーバ装置２３０と複数のユーザコンピュータ２２０−１、２２０−２、・・・がネットワークを介して接続され、ＣＯ２削減メディアシステム１をＷｅｂ上で実施する構成を説明するための図である。
【００６２】
本実施の形態のＣＯ２削減メディアシステム１は、ユーザコンピュータ２２０−１、２２０−２、・・・とサーバ装置２３０を含む。ユーザコンピュータ２２０−１、２２０−２、・・・は、インターネット等のネットワーク２１０を介して本実施の形態のサーバ２３０に接続可能に構成されている。
【００６３】
ユーザコンピュータ２２０−１、２２０−２、・・・は、例えば企業の本社や支店や営業所や工場に設けられ、サーバ装置２３０は本社等に設けられてもよい。そして本社や支店や営業所や工場の家屋のエネルギー使用量（電気やガス等）を収集し、収集したエネルギー使用量をサーバ装置２３０に送信するようにしてもよい。
【００６４】
本実施の形態のサーバ装置２３０は、インターネット回線等に接続されてデータの送受信を行う通信装置２３２、ワークステーション等のホストコンピュータ２３４、データベース２３６を含み、Ｗｅｂサーバとしての機能も備えており、インターネット上でワールド・ワイド・ウェブ（ＷＷＷ）に対応したホームページ（監視画像表示等のホームページ）を開設している。
【００６５】
通信装置２３２は、モデム、ターミナルアダプタ、あるいはルーター等によって構成され、電話回線、ＩＳＤＮ回線、あるいは専用線等の通信回線を介して、他のサーバ装置や端末との間でデータの送受信を行う。
【００６６】
データベース２３６には、複数のユーザコンピュータから送られてきたエネルギー使用量データが記憶されている。
【００６７】
サーバ装置２３０は例えば本社に設けられ、本社、支店、営業所等の設置されたユーザコンピュータ２２０−１、２２０−２、・・で収集されたエネルギー使用量を受け取る。
【００６８】
すなわち本社や支店や営業所等の複数の家屋に分散して設置されたユーザコンピュータ２２０−１、２２０−２、・・・及びサーバ装置２３０は、エネルギー使用量を特定可能なエネルギー使用量データを取得して、取得したエネルギー使用量データを、取得時刻情報に関連づけて記憶部に記憶させるエネルギー使用量取得手段として機能するようにしてもよい。
【００６９】
サーバ装置２３０のホストコンピュータ２３４は、データベースに記憶されているエネルギー使用量データを読み出して監視画像を生成する。監視画像は、Ｗｅｂ上でユーザコンピュータ２２０−１、２２０−２、・・・から閲覧可能にすることができる。
【００７０】
この様にサーバ装置２３０は、エネルギー使用量の監視画像を生成する監視画像生成手段として機能する。
【００７１】
ネットワーク２１０の伝送路は、無線の伝送路を含んでいてもよいし、有線の伝送路で接続されていてもよい。また一般回線を使用する場合でもよいし専用回線を使用する場合でもよい。
【００７２】
ユーザコンピュータ２２０−１、２２０−２、・・・は、例えばユーザが所有するＰＣ（パーソナルコンピュータ）や携帯電話やＰＤＡ等の情報通信端末であり、入力部、制御部、表示部、通信部などを備え、ＷＷＷブラウザがインストールされ、インターネットに接続され、Ｗｅｂページの閲覧が可能なクライアント端末としての機能を有している。
【００７３】
ユーザコンピュータ２２０−１、２２０−２、・・・は、ユーザコンピュータ２２０−１、２２０−２、・・に接続されたエネルギー使用量測定機器からのデータを収集したエネルギー使用量データを、所定期間毎にサーバ装置２３０に、ネットワーク２１０を介して送信するように構成してもよい。
【００７４】
ユーザコンピュータ２２０−１、２２０−２、・・でサーバ装置２３０が開設しているＣＯ２削減メディアシステムのＷｅｂページのＵＲＬ（Uniform Resource Locator）を指定すると、ユーザコンピュータ２２０−１、２２０−２、・・・のＷｅｂブラウザは本サイトが提供するＷｅｂページ（監視画像）をダウンロードして表示部に表示するようにしてもよい。
【００７５】
Ｗｅｂページ（監視画像）には、ユーザコンピュータ２２０−１、２２０−２、・・・が送ったエネルギー使用量データに基づき生成されたグラフ画像が表示される。
【００７６】
２．エネルギー使用量を特定可能なデータ
図４はデータ記憶装置に記憶されているエネルギー使用量データについて説明する図である。エネルギー使用量データは、エネルギー使用量測定機器（例えば電力ロガー）によって測定されたデータでもよい。エネルギー使用量データはエネルギー使用量測定機器（例えば電力ロガー）毎に収集され、エネルギー使用量測定機器毎に、測定機器識別情報（測定機器ＩＤ２５０）に関連づけて、所定時間毎にエネルギー使用量蓄積サーバに記憶される。例えば１秒毎に記憶されてもよいし、５秒毎に記憶されてもよいし、１分毎に記憶されてもよいし、１時間毎に記憶されてもよい。図４では、１日分のエネルギー使用量データが、エネルギー使用量測定機器毎に、１分おきに蓄積されている例について示している。記憶される値は、測定開始時やリセット時からのエネルギー使用量の累計値でもよい。
【００７７】
２５２は測定機器ＩＤが「Ａ０１０１０１」のエネルギー使用量データであり、２５４は測定機器ＩＤが「Ａ０１０１０２」のエネルギー使用量データであり、２５６は測定機器ＩＤが「Ａ０１０２０１」のエネルギー使用量データであり、２５８は測定機器ＩＤが「Ｂ０１０１０１」のエネルギー使用量データである。ここでは測定機器ＩＤは例えば先頭のアルファベットが事業所区分を示し、次の２桁の数字が家屋区分を示し、次の２桁の数字が階を示し、次の２桁の数字が各階毎に振られた連番を示している。例えばエネルギー使用量データ２５２とエネルギー使用量データ２５４は同じ事業所の同じ家屋の同じ階に設置された測定機器のデータである。またエネルギー使用量データ２５２とエネルギー使用量データ２５６は同じ事業所の同じ家屋の異なる階に設置された測定機器のデータである。またエネルギー使用量データ２５２とエネルギー使用量データ２５８は異なる事業所に設置された測定機器のデータである。
【００７８】
取得日時２６０は、’yymmddhhss’で管理され、yyが年、mmが月、ddは日、hhが時間、ssが分を示すようにしてもよい。図４では、エネルギー使用量データが測定機器ＩＤ２５０と取得日時２６０でマトリックス状に管理されるデータ構造なっている例を示したが、エネルギー使用量データが測定機器ＩＤ２５０や取得日時２６０をインデックスとしてエネルギー使用量にアクセス可能な構造であれば、どのようなデータ構造でもよい。
【００７９】
３．監視画像の生成処理
図５は、ＣＯ２排出量監視画像（１日）の一例である。横軸は時間軸（１日分）であり、縦軸はＣＯ２は排出量（単位はｔ−ＣＯ２）である。
【００８０】
３１０は、ＣＯ２排出量の累積値の遷移（１日分）を示す折れ線グラフである。１日分のグラフ画像では本日（又は過去の所与の日でもよい）のＣＯ２排出量の遷移が時間軸（２４時間分）に従って表示される。ＣＯ２排出量の遷移は、３１０に示すように、本日のＣＯ２排出量の累計値の遷移として表示してもよい。なお１日分のグラフにおいて累計値の遷移をグラフ化する場合には、毎日基準時（０：００時）にリセットされ、基準時からのＣＯ２排出量の累計値が表示される。ＣＯ２排出量３１０は、エネルギー使用量蓄積サーバに記憶されているエネルギー使用量データに基づき、基準時から横軸に示す時刻までエネルギー使用量（累計値）をＣＯ２排出量に換算した値である。なおグラフの更新は所定時間単位（例えば５秒、１分、１時間等）でリアルタイムに行うことができる。
【００８１】
すなわちデータ演算部１３２は、所定期間毎にエネルギー使用量蓄積サーバに記憶されているエネルギー使用量データを読み出して、ＣＯ２排出量を演算して、グラフの更新を行ってもよい。
【００８２】
３２０は、本日のＣＯ２排出量の目標値の遷移を示す折れ線グラフである。１日分のグラフ画像では本日（又は過去の所与の日の分でもよい）のＣＯ２排出量の目標値の遷移が時間軸（２４時間分）に従って表示される。ＣＯ２排出量の目標値の遷移は、３２０に示すように、本日の目標値の累計値の遷移として表示してもよい。なお１日分のグラフにおいてＣＯ２排出量の目標値の累計値の遷移をグラフ化する場合には、毎日基準時（０：００時）にリセットされ、基準時からのＣＯ２排出量の目標値の累計値が表示される。ＣＯ２排出量の目標値３２０は、エネルギー使用量蓄積サーバに記憶されている過去エネルギー使用量データに基づき、基準時から横軸に示す時刻までエネルギー使用量の目標値を求め、当該エネルギー使用量の目標値をＣＯ２排出量に換算した値である。
【００８３】
データ演算部１３２は、エネルギー使用量蓄積サーバに記憶されている過去の対応期間のエネルギー使用量データを読み出して、ＣＯ２排出量の目標値を演算して、グラフの更新を行ってもよい。過去の対応期間とは、１日分のデータの場合には、過去の同じ日付のデータ又は過去数年分の同じ日付のデータの平均値でもよい。また過去の同じ月又は過去数年分の同じ月のデータでもよい。この場合同じ月のデータから平均をとってその月の１日分の目標値を求める。過去の対応期間をどのように設定するかは、後述するように入力等よる外部からの設定で変更できるようにしてもよい。
【００８４】
またＣＯ２排出量の目標値３２０は過去のエネルギー使用量データと、削減率に基づき演算してもよい。削減率は、後述するように入力等よる外部からの設定で変更できるようにしてもよい。
【００８５】
所与の日（本日でもよいし、過去の所与の日でもよい）のＣＯ２排出量の目標値の演算に必要なデータ（過去のエネルギー使用量と削減目標等）には、リアルタイムな変動要因はないので、１日分のＣＯ２排出量の目標値のグラフ３２０を予め表示しておくことができる。
【００８６】
ここで１つのグラフ画像におけるＣＯ２排出量３１０を算出する際に使用するエネルギー使用量は、１つのエネルギー使用量測定機器で取得されたエネルギー使用量でもよいし、複数のエネルギー使用量測定機器で取得されたエネルギー使用量の合計値でもよい。あるいは手入力で（任意に）指定されたエネルギー使用量でもよい。なお、ＣＯ２排出量３１０の演算に１つのエネルギー使用量測定機器で取得されたエネルギー使用量を用いる場合には、ＣＯ２排出量の目標値３２０についても対応する１つのエネルギー使用測定機器で取得されたエネルギー使用量を用いて算出し、ＣＯ２排出量３１０の演算に複数のエネルギー使用量測定機器で取得されたエネルギー使用量の合計値を用いる場合には、ＣＯ２排出量の目標値３２０についても対応する複数のエネルギー使用測定機器で取得されたエネルギー使用量を用いて算出してもよい。
【００８７】
３３０と３３２は、ＣＯ２排出量３１０とＣＯ２排出量の目標値３２０の乖離状態がグラフ上で可視化表示されている例である。同図に示すように、ＣＯ２排出量３１０と、ＣＯ２排出量の目標値３２０の折れ線グラフで囲まれた領域を例えば背景色と異なる色で表示することで、ＣＯ２排出量３１０とＣＯ２排出量の目標値３２０の乖離状態をグラフ上で可視化表示してもよい。
【００８８】
３３０は実際のＣＯ２排出量３１０がＣＯ２排出量の目標値３２０を下回っている状態を示しており、３３２は実際のＣＯ２排出量３１０が目標値３２０を上回っている状態を示している。３３０と３３２とを異なる色で表示するようにしてもよい。
【００８９】
３６０は、本日のＣＯ２排出量のトータルの目標値である。なお過去の所与の日付のグラフ画像を表示する場合には、過去の所与の日のＣＯ２排出量のトータルの目標値を表示してもよい。
【００９０】
３７０は、本日の基準時から現時刻までのＣＯ２排出量の目標値である。３８０は、本日の基準時から現時刻までのＣＯ２排出量である。現時刻とは直近のエネルギー使用量データを所得した時刻であるため、多少のタイムラグはあってもよい。
【００９１】
３９０は、本日の基準時から現時刻までのＣＯ２排出クレジット（現時刻までのＣＯ２排出量の目標値３７０と実際のＣＯ２排出量３８０との差を表す値）である。現時刻までのＣＯ２排出量の目標値３７０＜と実際のＣＯ２排出量３８０の時に’−や’他の記号をつけるようにしてもよいし、現時刻までのＣＯ２排出量の目標値３７０＞実際のＣＯ２排出量３８０の時に’−や’他の記号をつけるようにしてもよい。
【００９２】
図５では日単位で目標値との比較を行った場合の値を表示している例を示したが、月単位や年単位で目標値との比較を行った場合の値を表示してもよい。また本年のスタート時から年度末までのＣＯ２排出クレジット予想量と年度末までのＣＯ２排出量の目標値と差の値を表示してもよい。
【００９３】
図６は、ＣＯ２排出量監視画像（１月）の一例である。横軸は時間軸（１月分）であり、縦軸はＣＯ２は排出量（単位はｔ−ＣＯ２）である。
【００９４】
４１０は、ＣＯ２排出量の累積値の遷移（１月分）を示す折れ線グラフである。１月分のグラフ画像では当月（又は過去の所与の月でもよい）のＣＯ２排出量の遷移が時間軸（２８〜３１日分）に従って表示される。ＣＯ２排出量の遷移は、４１０に示すように、当月のＣＯ２排出量の累計値の遷移として表示してもよい。なお１月分のグラフにおいて累計値の遷移をグラフ化する場合には、毎月基準時（１日の０：００時）にリセットされ、基準時からのＣＯ２排出量の累計値が表示される。ＣＯ２排出量４１０は、エネルギー使用量蓄積サーバに記憶されているエネルギー使用量データに基づき、基準時から横軸に示す時刻までエネルギー使用量（累計値）をＣＯ２排出量に換算した値である。なおグラフの更新は所定時間単位（例えば１日等）で行うことができる。
【００９５】
すなわちデータ演算部１３２は、所定期間毎にエネルギー使用量蓄積サーバに記憶されているエネルギー使用量データを１日毎に読み出して、ＣＯ２排出量を演算して、グラフの更新を行ってもよい。
【００９６】
４２０は、当月のＣＯ２排出量の目標値の遷移を示す折れ線グラフである。１月分のグラフ画像では当月（又は過去の所与の月の分でもよい）のＣＯ２排出量の目標値の遷移が時間軸（２８〜３１日分）に従って表示される。ＣＯ２排出量の目標値の遷移は、４２０に示すように、当月の目標値の累計値の遷移として表示してもよい。なお１月分のグラフにおいてＣＯ２排出量の目標値の累計値の遷移をグラフ化する場合には、毎月基準時（１日の０：００時）にリセットされ、基準時からのＣＯ２排出量の目標値の累計値が表示される。ＣＯ２排出量の目標値４１０は、エネルギー使用量蓄積サーバに記憶されている過去エネルギー使用量データに基づき、基準時から横軸に示す時刻までエネルギー使用量の目標値を求め、当該エネルギー使用量の目標値をＣＯ２排出量に換算した値である。
【００９７】
データ演算部１３２は、エネルギー使用量蓄積サーバに記憶されている過去の対応期間のエネルギー使用量データを読み出して、ＣＯ２排出量の目標値を演算して、グラフの更新を行ってもよい。過去の対応期間とは、１月分のデータの場合には、過去の同じ月のデータ又は過去数年分の同じ月のデータの平均値でもよい。過去の対応期間をどのように設定するかは、後述するように入力等よる外部からの設定で変更できるようにしてもよい。
【００９８】
またＣＯ２排出量の目標値は過去のエネルギー使用量データと、削減率に基づき演算してもよい。削減率は、後述するように入力等よる外部からの設定で変更できるようにしてもよい。
【００９９】
所与の月（当月でもよいし、過去の所与の月でもよい）の目標値の演算に必要なデータ（過去のエネルギー使用量と削減目標等）には、リアルタイムな変動要因はないので、１月分の目標値のグラフ４２０を予め表示しておくことができる。
【０１００】
ここで１つのグラフ画像におけるＣＯ２排出量４１０を算出する際に使用するエネルギー使用量は、１つのエネルギー使用量測定機器で取得されたエネルギー使用量でもよいし、複数のエネルギー使用量測定機器で取得されたエネルギー使用量の合計値でもよい。あるいは手入力で（任意に）指定されたエネルギー使用量でもよい。なお、ＣＯ２排出量４１０の演算に１つのエネルギー使用量測定機器で取得されたエネルギー使用量を用いる場合には、ＣＯ２排出量の目標値４２０についても対応する１つのエネルギー使用測定機器で取得されたエネルギー使用量を用いて算出し、ＣＯ２排出量４１０の演算に複数のエネルギー使用量測定機器で取得されたエネルギー使用量の合計値を用いる場合には、目標値４２０についても対応する複数のエネルギー使用測定機器で取得されたエネルギー使用量を用いて算出してもよい。
【０１０１】
４３０は、ＣＯ２排出量４１０とＣＯ２排出量の目標値４２０の乖離状態がグラフ上で可視化表示されている例である。同図に示すように、ＣＯ２排出量４１０と、ＣＯ２排出量の目標値４２０の折れ線グラフで囲まれた領域を例えば背景色と異なる色で表示することで、ＣＯ２排出量４１０とＣＯ２排出量の目標値４２０の乖離状態をグラフ上で可視化表示してもよい。
【０１０２】
４３０は実際のＣＯ２排出量４１０がＣＯ２排出量の目標値４２０を下回っている状態を示している。
【０１０３】
４６０は、当月のＣＯ２排出量のトータルの目標値である。なお過去の所与の月のグラフ画像を表示する場合には、過去の所与の月のＣＯ２排出量のトータルの目標値を表示してもよい。
【０１０４】
４７０は、当月の基準時から本日までのＣＯ２排出量の目標値である。４８０は、当月の基準時から本日までのＣＯ２排出量である。
【０１０５】
４９０は、当月の基準時から本日までのＣＯ２排出クレジット（本日までのＣＯ２排出量の目標値４７０と実際のＣＯ２排出量４８０との差を表す値）である。本日までのＣＯ２排出量の目標値４７０＜と実際のＣＯ２排出量４８０の時に’−や’他の記号をつけるようにしてもよいし、本日までのＣＯ２排出量の目標値４７０＞実際のＣＯ２排出量４８０の時に’−や’他の記号をつけるようにしてもよい。
【０１０６】
図７は、ＣＯ２排出量監視画像（１年）の一例である。横軸は時間軸（１年分）であり、縦軸はＣＯ２は排出量（単位はｔ−ＣＯ２）である。
【０１０７】
５１０は、ＣＯ２排出量の累積値の遷移（４月から翌３月までの１年分）を示す折れ線グラフである。１年分のグラフ画像では本年（又は過去の所与の年でもよい）のＣＯ２排出量の遷移が時間軸（１２月分）に従って表示される。ＣＯ２排出量の遷移は、５１０に示すように、本年のＣＯ２排出量の累計値の遷移として表示してもよい。なお１年分のグラフにおいて累計値の遷移をグラフ化する場合には、毎年基準時（４月１日の０：００時）にリセットされ、基準時からのＣＯ２排出量の累計値が表示される。ＣＯ２排出量５１０は、エネルギー使用量蓄積サーバに記憶されているエネルギー使用量データに基づき、基準時から横軸に示す時刻までエネルギー使用量（累計値）をＣＯ２排出量に換算した値である。なおグラフの更新は所定時間単位（例えば１月等）で行うことができる。
【０１０８】
すなわちデータ演算部１３２は、所定期間毎にエネルギー使用量蓄積サーバに記憶されているエネルギー使用量データ１日又は１月毎に読み出して、ＣＯ２排出量を演算して、グラフの更新を行ってもよい。
【０１０９】
５２０は、本年のＣＯ２排出量の目標値の遷移を示す折れ線グラフである。１年分のグラフ画像では本年（又は過去の所与の年の分でもよい）のＣＯ２排出量の目標値の遷移が時間軸（１２月分）に従って表示される。ＣＯ２排出量の目標値の遷移は、５２０に示すように、本年のＣＯ２排出量の目標値の累計値の遷移として表示してもよい。なお１年分のグラフにおいてＣＯ２排出量の目標値の累計値の遷移をグラフ化する場合には、毎年基準時（４月１日の０：００時）にリセットされ、基準時からのＣＯ２排出量の目標値の累計値が表示される。ＣＯ２排出量の目標値５２０は、エネルギー使用量蓄積サーバに記憶されている過去エネルギー使用量データに基づき、基準時から横軸に示す時刻までエネルギー使用量の目標値を求め、当該エネルギー使用量の目標値をＣＯ２排出量に換算した値である。
【０１１０】
データ演算部１３２は、エネルギー使用量蓄積サーバに記憶されている過去の対応期間のエネルギー使用量データを読み出して、ＣＯ２排出量の目標値を演算して、グラフの更新を行ってもよい。過去の対応期間とは、１年分のデータの場合には、過去の所与の年のデータ又は過去数年分のデータの平均値でもよい。過去の対応期間をどのように設定するかは、後述するように入力等よる外部からの設定で変更できるようにしてもよい。
【０１１１】
またＣＯ２排出量の目標値は過去のエネルギー使用量データと、削減率に基づき演算してもよい。削減率は、後述するように入力等よる外部からの設定で変更できるようにしてもよい。
【０１１２】
所与の年（本年でもよいし、過去の所与の年でもよい）のＣＯ２排出量の目標値の演算に必要なデータ（過去のエネルギー使用量と削減目標等）には、リアルタイムな変動要因はないので、１月分の目標値のグラフ５２０を予め表示しておくことができる。
【０１１３】
ここで１つのグラフ画像におけるＣＯ２排出量５１０を算出する際に使用するエネルギー使用量は、１つのエネルギー使用量測定機器で取得されたエネルギー使用量でもよいし、複数のエネルギー使用量測定機器で取得されたエネルギー使用量の合計値でもよい。あるいは手入力で（任意に）指定されたエネルギー使用量でもよい。なお、ＣＯ２排出量５１０の演算に１つのエネルギー使用量測定機器で取得されたエネルギー使用量を用いる場合には、ＣＯ２排出量の目標値５２０についても対応する１つのエネルギー使用測定機器で取得されたエネルギー使用量を用いて算出し、ＣＯ２排出量５１０の演算に複数のエネルギー使用量測定機器で取得されたエネルギー使用量の合計値を用いる場合には、ＣＯ２排出量の目標値５２０についても対応する複数のエネルギー使用測定機器で取得されたエネルギー使用量を用いて算出してもよい。
【０１１４】
５３０は、ＣＯ２排出量５１０と目標値５２０の乖離状態がグラフ上で可視化表示されている例である。同図に示すように、ＣＯ２排出量５１０と、ＣＯ２排出量の目標値５２０の折れ線グラフで囲まれた領域を例えば背景色と異なる色で表示することで、ＣＯ２排出量５１０と目標値５２０の乖離状態をグラフ上で可視化表示してもよい。
【０１１５】
５３０は実際のＣＯ２排出５１０がＣＯ２排出量の目標値５２０を下回っている状態を示している。５３２は実際のＣＯ２排出５１０がＣＯ２排出量の目標値５２０を上回っている状態を示している。
【０１１６】
５６０は、本年のＣＯ２排出のトータルの目標値である。なお過去の所与の年のグラフ画像を表示する場合には、過去の所与の年のＣＯ２排出量のトータルの目標値を表示してもよい。
【０１１７】
５７０は、本年の基準時から本日までのＣＯ２排出量の目標値である。５８０は、本年の基準時から本日までのＣＯ２排出量である。
【０１１８】
５９０は、本日の基準時から本日までのＣＯ２排出クレジット（本日までのＣＯ２排出量の目標値５７０と実際のＣＯ２排出量５８０との差を表す値）である。本日までのＣＯ２排出量の目標値５７０＜と実際のＣＯ２排出量５８０の時に’−や’他の記号をつけるようにしてもよいし、本日までのＣＯ２排出量の目標値５７０＞実際のＣＯ２排出量５８０の時に’−や’他の記号をつけるようにしてもよい。
【０１１９】
５９２はＣＯ２排出クレジット５９０の通過換算値（ここでは円に換算）である。換算レートは入力による随時設定する構成にしてもよい。また為替レートをリアルタイムに又は所定の間隔で取得して換算レートを設定するようにしてもよい。
【０１２０】
６００は、メッセージ表示である。メッセージは、ＣＯ２排出量５１０及び目標値５２０の比較結果に基づいて生成される。ここでは本日時点（６１０参照、６月某日）のＣＯ２排出量５１０及び目標値５２０の比較結果に基づいたメッセージが出力されている。本日時点（６１０参照、６月某日）でＣＯ２排出量５１０が、目標値５２０をｘだけ上回っているので（５９０参照）、「排出量が目標値を上回っています」（警告メッセージ１）及び「あとｘの削減が必要です」（警告メッセージ２）が表示されている。なおいずれか一方のみが表示される構成でもよいし、表現が異なるメッセージでもよい。
【０１２１】
図８は、ＣＯ２排出量監視画像（１年）の他の一例である。図７と同じ要素については同じ番号を付しており説明を省略する。
【０１２２】
６２０は、本年の予想ＣＯ２排出量の遷移を示す折れ線グラフである。１年分のグラフ画像では本年（又は過去の所与の年の分でもよい）の予想ＣＯ２排出量６２０の遷移が時間軸（１２月分）に従って表示される。予想ＣＯ２排出量の遷移は、６２０に示すように、本年の予想ＣＯ２排出量の累計値の遷移として表示してもよい。なお１年分のグラフにおいて予想ＣＯ２排出量の累計値の遷移をグラフ化する場合には、毎年基準時（４月１日の０：００時）にリセットされ、基準時から現時点（６１０参照）までの予想ＣＯ２排出量の累計値が表示される。基準時から現時点（６１０参照）までのＣＯ２排出量５１０の累計値の時間軸に対する傾きを求め、今後も当該傾きで遷移すると仮定して、これを予想ＣＯ２排出量６２０のグラフの傾きとしてもよい。また求めた傾きを、過去のデータ遷移が示す季節特性（夏や冬はエネルギー使用量が増える）や時間特性（日中は夜間に比べエネルギー使用量が増える）を加味して修正した傾きを使用してもよい。
【０１２３】
５９４は、年間クレジット予測値である。本年度の目標排出量５６０と本年度末（３月末）における予想ＣＯ２排出量（６２２参照）との差を示す値である。
【０１２４】
５９６は、年間クレジット予測値５９４の通過換算値（ここでは円に換算）である。換算レートは入力による随時設定する構成にしてもよい。また為替レートをリアルタイムに又は所定の間隔で取得して換算レートを設定するようにしてもよい。
【０１２５】
５９８は目標達成率である。目標達成率５９８は、今年度の目標達成量５６０÷（今年度の目標排出量５６０−年間クレジット予測値５９４）で求めてもよい。
【０１２６】
図９、図１０は、ＣＯ２排出量監視画像（１年）の他の一例である。図７、図８と同じ要素については同じ番号を付しており説明を省略する。
【０１２７】
図９、図１０は、図７、図８におけるグラフより月日が経過して、更新され、現時点が１月某日のグラフである。図９、図１０ではＣＯ２排出量５１０が１月某日まで更新されている。また図１０の予想ＣＯ２排出量６２０は、基準時から現時点（６３０参照）までのＣＯ２排出量５１０に基づきグラフの傾きを求め、今後も当該傾きで遷移すると仮定して設定したものである。演算に使用するデータ（月毎）や開始地点（現時点）が図８の場合と異なるので、図８の時点の予想ＣＯ２排出量６２０とは異なったグラフとなる。またそれに伴い年度末の予想ＣＯ２排出量６２２も異なってくるので、年間クレジット予測値５９４や、目標達成率５９８も図８の時点とは異なってくる。
【０１２８】
図１１は、警告画像の出力例を示す図である。図１１では、警告画像として、グラフ画像の背景領域６５０背景色が変更された例を示している。
【０１２９】
警告画像はＣＯ２排出量５１０とＣＯ２排出量の目標値５２０の比較結果が所定に条件を満たした場合に出力してもよい。例えばＣＯ２排出量５１０とＣＯ２排出量の目標値５２０の比較結果が所定の基準以上になった場合に警告画像又は警告報を出力するようにしてもよい。また例えばＣＯ２排出量５１０とＣＯ２排出量の目標値５２０の比較結果が所定の基準以上となる期間が所定期間継続した場合に警告画像を出力するようにしてもよい。
【０１３０】
なお警告画像としてグラフ画像の背景色を変更する場合には、ＣＯ２排出量５１０とＣＯ２排出量の目標値５２０の差に応じて、段階的に又は連続的に背景色を変化させていくようにしてもよい。例えばＣＯ２排出量５１０とＣＯ２排出量の目標値５２０の差が大きくなるにつれ背景色が濃い色（例えば赤）になるようにしてもよい。
【０１３１】
データ演算部１３２は、ＣＯ２排出量５１０と目標値５２０の比較結果が所定の条件を満たすか否か判断し、満たすと判断した場合には、グラフ画像生成部１３３が、警告画像が表示された監視画像を生成するようにしてもよい。
【０１３２】
図１２は、警告画像の他の出力例を示す図である。図１２では、警告画像として、グラフ画像の一部に警告用の表示物６６０が表示されている例を示している。ここでは警告用の表示６６０として、怒ったキャラクタの画像を出力しているが、これに限られず、種々の警告用の表示物６６０を表示してもよい。なお出力する警告用の表示物６６０はユーザが登録できるようにしてもよい。例えばユーザの企業の社長等の画像を警告用の表示物として登録しておいてもよい。
【０１３３】
図１３は、グループ単位のグラフ画像の一覧表示について説明するための図である。
【０１３４】
本実施の形態では、複数のエネルギー使用量測定機器を複数のグループに分け、グループ単位でグラフ画像を生成することができる。グループは例えば家屋単位に設定してもよいし、１つの建物のフロア単位に設定してもよいし、会社の組織（例えば事業所や部署単位）に関連づけて設定してもよい。
【０１３５】
グループ単位で生成されたグラフ画像は図５〜図１０に示すように、１つの監視画像（原則的に１つの表示部に表示される画像であるが、１つの表示部に画面分割されて複数の画像が表示される場合には分割された各画面の監視画像）に１つのグラフ画像として表示してもよいし、図１３に示すように、１つの監視画像で、複数のグループのグラフ画像を一覧できるようなグループ単位のグラフ画像の一覧表示をおこなってもよい。図１３では、１年分のＣＯ２排出量監視画像の一覧表示を行う場合を示しているが、１月分のＣＯ２排出量監視画像の一覧表示を行う場合でもよいし、１日分のＣＯ２排出量監視画像の一覧表示を行う場合でもよい。
【０１３６】
なお、表示モードとして通常表示モードと一覧表示モードを設け、通常表示モードの場合には、図５〜図１０に示すように１つの監視画像に１つのグループのグラフ画像を表示し、一覧表示モードの場合には、図１３に示すように１つの監視画像に複数のグループのグラフ画像を表示してもよい。
【０１３７】
一覧表示モードにすると各グループのＣＯ２排出量とＣＯ２排出量の目標値との乖離等が１目で比較できるので、各グループの削減状況が他グループとの比較しやすくなり、各グループにＣＯ２排出量削減への強い動機づけを与えることができる。
【０１３８】
エネルギー使用量測定機器とグループの対応付けは予め設定して、テーブルデータとして記憶させておいてもよい。
【０１３９】
図１４は、グループ設定テーブルの一例である。同図に示すように、測定機器ＩＤに対応づけて属するグループを記憶させてもよい。ここではグループ定義１（７２０）、グループ定義２（７３０）の複数の異なるグループ定義が記憶されているテーブル例を示す。グループ定義１（７２０）は、家屋のフロア単位でグループを設定している例である。グループ定義１（７２０）では、同じ家屋の同じフロアに設置されているエネルギー使用量測定機器７１２、７１４は同じグループ「Ｇ１」に属している。グループ定義２（７３０）は、家屋単位でグループを設定している例である。グループ定義２（７３０）では、同じ家屋に設置されているエネルギー使用量測定機器７１２、７１４、７１６は同じグループ「Ｇ１」に属している。
【０１４０】
ユーザは、入力により、グループ定義（エネルギー使用量測定機器とグループの対応付けの指定）を行うようにしてもよい。そして複数のグループ定義を行った場合には、どのグループ定義に従ってグループ分けするかを選択により、切り替えることができるようにしてもよい。  
【０１４１】
データ演算部１３２は、当該グループ設定テーブルを参照してエネルギー使用量測定機器に対応するグループを特定して、グループ単位のデータ演算を行うことができる。
【０１４２】
図１５は、グループ別のＣＯ２排出量監視画像（１日）の一例である。同図は、昨日の各グループ毎（ここではフロア毎）のＣＯ２排出量（実績）８１０とＣＯ２排出量の目標値８２０の棒グラフである。同図によれば、昨日の各グループの実績が一覧で把握できるので、各グループの目標達成状況を比較しやすくなる。また監視画像からグループ毎の目標達成状況の差が把握可能なので、ＣＯ２使用量削減の注意喚起効果が高くなる。
【０１４３】
図１５に示すように、ＣＯ２詳細データとして各階毎の目標値と排出量の比較値８３０〜８３９を表示してもよい。ここで目標のＣＯ２排出量＞実際のＣＯ２排出量である比較値８３０、８３２、８３４、８３５、８３８、８３９と、目標のＣＯ２排出量＜実際のＣＯ２排出量である比較値８３１、８３３、８３６、８３７とは異なる色や表示態様（例えばブリンクの有無）で表示してもよい。例えば目標のＣＯ２排出量＞実際のＣＯ２排出量である比較値８３０、８３２、８３４、８３５、８３８、８３９は青で、目標のＣＯ２排出量＜実際のＣＯ２排出量である比較値８３１、８３３、８３６、８３７は赤（注意を促す色）で表示してもよい。
【０１４４】
また併せて全部の階のトータルの排出量とトータル目標値との比較値を表示してもよい。
【０１４５】
４．パラメータの設定
本実施の形態では、パラメータ設定画面を表示して、当該画面からグラフ画像の生成に使用するパラメータを入力することができる。パラメータ設定画面から入力されたパラメータは内部パラメータテーブルに記憶され、データ演算に使用される。
【０１４６】
図１６は、パラメータ設定画面の一例である。
【０１４７】
パラメータ設定画面において、目標値のベースラインを設定するためのベースライン設定パラメータ９１０を指定できるようにしてもよい。ベースライン設定パラメータとは、ＣＯ２排出量の目標値を設定する際に、目標値算出に用いる過去のエネルギー使用量としてどの年度のデータを使用するかを特定するためのパラメータである。例えばベースラインを設定する際に、近々３年間のＣＯ２排出量の平均値を使用する場合（パターン１）、予め指定された単年度のＣＯ２排出量を使用する場合（パターン２）、複数年を自由に入力して、入力された複数年度のＣＯ２排出量を使用する場合（パターン３）の３パターンを用意してもよい。パラメータ設定画面において９１２が指定された場合にはベースライン設定パラメータに’１’を設定し、パラメータ設定画面において９１４が指定された場合にはベースライン設定パラメータに’２’を設定し、パラメータ設定画面において９１６が指定された場合にはベースライン設定パラメータに’３’を設定する。
【０１４８】
ベースライン設定パラメータが’１’の場合には近々３年間のエネルギー使用量データをデータベースから読み出してＣＯ２排出量に換算してその平均値をベースラインとする。ベースライン設定パラメータが’２’の場合には予め指定された単年度のエネルギー使用量データをデータベースから読み出してＣＯ２排出量に換算してそれをベースラインとする。ベースライン設定パラメータが’３’の場合には、自由に入力された過去の複数年のエネルギー使用量データをデータベースから読み出してＣＯ２排出量に換算してその平均値がベースラインとなる。
【０１４９】
パラメータ設定画面において、目標値を設定する際に使用するベースラインに対する削減率９２０を指定できるようにしてもよい。グラフ画像に表示される目標値はベースラインのＣＯ２排出量×削減率で算出することができる。
【０１５０】
パラメータ設定画面において、エネルギー使用量からＣＯ２排出量を演算する際に使用する排出係数９３０を指定できるようにしてもよい。グラフ画像に表示されるＣＯ２排出量はエネルギー使用量×排出係数で算出することができる。
【０１５１】
なお排出係数の値を直接入力する場合に限られず、排出係数の代わりに使用するエネルギーの種類を指定する形式でもよい。例えば「電力」「都市ガス」「ＬＰＧ」「Ａ重油」「軽油」「灯油」「ガソリン」等のエネルギーの種類を表す項目をプルダウンメニュー等で表示して選択できるようにしてもよい。
【０１５２】
排出係数は使用するエネルギーにより特定できるので、システム内部で使用するエネルギーの種類と排出係数を対応づけておいて（例えばエネルギーの種類と、対応する排出係数のテーブルを用意する）、入力されたエネルギーの種類から排出係数を求めるようにしてもよい。
【０１５３】
５．本実施の形態の処理
図１７は、本実施の形態のパラメータ設定処理の流れについて説明するためのフローチャートである。  
【０１５４】
パラメータ設定画面が選択されると（ステップＳ１０）、例えば図１６に示すようなパラメータ設定画面を表示して、パラメータの設定入力を受け付ける（ステップＳ２０）。そして受け付けたパラメータをパラメータテーブルに記憶させる（ステップＳ３０）。パラメータ設定テーブルには、ベースライン設定パラメータや削減率や排出係数等のパラメータを記憶させるようにしてもよい。パラメータ設定テーブルに、初期値としてこれらのデフォルト値を記憶させておいてもよい。
【０１５５】
図１８は、本実施の形態の１日分の監視画像生成処理の流れについて説明するためのフローチャートである。  
【０１５６】
ベースライン設定パラメータに基づき過去の対応する月のエネルギー使用量データをデータベースから読みだして、排出係数パラメータに基づいてＣＯ２排出量に換算し、過去の対応する月の平均のＣＯ２排出量に基づき本日の目標値を演算するとともに、１日分のＣＯ２排出量の遷移のモデルパターンを演算し、１日分のＣＯ２排出量の遷移のモデルパターンと削減率パラメータに基づき１日分の目標値の折れ線グラフを生成する（ステップＳ１１０）。
【０１５７】
１日分のＣＯ２排出量は例えば日中は多くて夜間は少ない等の時刻に応じた時刻特性を有するので、過去の１日分の遷移状態に基づき時刻特性を考慮した平均的な遷移をモデルパターンとして、このモデルパターンに従って遷移するような目標値を設定してもよい。このようにすると、１日分の目標値の遷移は、例えば図５の目標値３２０に示すように日中が夜間よりＣＯ２排出量の増加の程度が大きい（グラフの傾きが大きい）グラフとなる。また１日分の目標値のグラフはリアルタイムな変動要因はないので、１回生成したグラフ画像を記憶部に保持しておいて、２回目以降は記憶部に保持された画像を読み出して表示させてもよい。
【０１５８】
本日分の基準時から現時点までのエネルギー使用量データをデータベースから読み出して、排出係数パラメータに基づいてＣＯ２排出量に換算し現時刻までのＣＯ２排出量を求めるとともに、現時点までのＣＯ２排出量の折れ線グラフを更新する（ステップＳ１２０）。
【０１５９】
更新する際には、１回生成したグラフ画像を記憶部に保持しておいて、前回の更新分までのグラフ画像については（今回も同じなので）記憶部に保持された画像を読み出して表示し、前回から今回までの更新部分についてのグラフ画像を追加で生成して表示してもよい。
【０１６０】
現時刻までのＣＯ２排出量と現時刻までの目標値に基づきＣＯ２排出クレジットを求める（ステップＳ１３０）。
【０１６１】
グラフ画像においてＣＯ２排出量と目標値の乖離状態を表すエリアを乖離状態に応じて指定色で表示する制御を行う（ステップＳ１４０）。
【０１６２】
ＣＯ２排出量及び目標値の比較結果に基づいてメッセージ画像又は、警告画像を表示する制御を行う（ステップＳ１５０）。
【０１６３】
図１９は、本実施の形態の１月分の監視画像生成処理の流れについて説明するためのフローチャートである。
【０１６４】
ベースライン設定パラメータに基づき過去の対応する月のエネルギー使用量データをデータベースから読みだして排出係数パラメータに基づいてＣＯ２排出量に換算し、過去の対応する月の平均のＣＯ２排出量に基づき当月の目標値を演算するとともに、１月分の目標値の遷移のモデルパターンを演算し、１月分のＣＯ２排出量の遷移と削減率パラメータに基づき１月分の目標値の折れ線グラフを生成する（ステップＳ２１０）。
【０１６５】
１月分のＣＯ２排出量は季節に応じて変動するので、過去の対応する月や過去の複数年の対応する月の平均値をとり、１日あたりの排出総量は、同じと仮定して、モデルパターンを設定してもよい。この様にすると、１月分の目標値の遷移は例えば図６の目標値４２０に示すように単純増加を示す直線のグラフとなる。
【０１６６】
また１月分の目標値のグラフはリアルタイムな変動要因はないので、１回生成したグラフ画像を記憶部に保持しておいて、２回目以降は記憶部に保持された画像を読み出して表示させてもよい。
【０１６７】
当月分の基準時から本日までのエネルギー使用量データをデータベースから読み出して、排出係数パラメータに基づいてＣＯ２排出量に換算し本日までのＣＯ２排出量を求めるとともに、本日までのＣＯ２排出量の折れ線グラフを更新する（ステップＳ２２０）。
【０１６８】
更新する際には、１回生成したグラフ画像を記憶部に保持しておいて、前回の更新分までのグラフ画像については（今回も同じなので）記憶部に保持された画像を読み出して表示し、前回から今回までの更新部分についてのグラフ画像を追加で生成して表示してもよい。
【０１６９】
本日までのＣＯ２排出量と本日までの目標値に基づきＣＯ２排出クレジットを求める（ステップＳ２３０）。
【０１７０】
グラフ画像においてＣＯ２排出量と目標値の乖離状態を表すエリアを乖離状態に応じて指定色で表示する制御を行う（ステップＳ２４０）。
【０１７１】
ＣＯ２排出量及び目標値の比較結果に基づいてメッセージ画像又は、警告画像を表示する制御を行う（ステップＳ２５０）。
【０１７２】
図２０は、本実施の形態の１年分の監視画像生成処理の流れについて説明するためのフローチャートである。
【０１７３】
ベースライン設定パラメータに基づき過去の対応する年のエネルギー使用量データをデータベースから読みだして排出係数パラメータに基づいてＣＯ２排出量に換算し、過去の年の平均のＣＯ２排出量に基づき本年の目標値を演算するとともに、１年分のＣＯ２排出量の遷移のモデルパターン（１年の季節特性を考慮した遷移パターン）を演算し、１年分のＣＯ２排出量の遷移のモデルパターンと削減率パラメータに基づき１年分の目標値の折れ線グラフを生成する（ステップＳ３１０）。
【０１７４】
１年分のＣＯ２排出量は過去の単年（例えば前年）又は過去の複数年の平均値をとり、各月あたりの排出総量は、同じと仮定して、モデルパターンを設定してもよい。この様にすると、１年分の目標値の遷移は例えば図７の目標値５２０に示すように単純増加を示す直線のグラフとなる。
【０１７５】
また１年分の目標値のグラフはリアルタイムな変動要因はないので、１回生成したグラフ画像を記憶部に保持しておいて、２回目以降は記憶部に保持された画像を読み出して表示させてもよい。
【０１７６】
本年分の基準時から本日までのエネルギー使用量データをデータベースから読み出して、排出係数パラメータに基づいてＣＯ２排出量に換算し本日までのＣＯ２排出量を求めるとともに、本日までのＣＯ２排出量の折れ線グラフを更新する（ステップＳ３２０）。
【０１７７】
更新する際には、１回生成したグラフ画像を記憶部に保持しておいて、前回の更新分までのグラフ画像については（今回も同じなので）記憶部に保持された画像を読み出して表示し、前回から今回までの更新部分についてのグラフ画像を追加で生成して表示してもよい。
【０１７８】
本日までのＣＯ２排出量と本日までの目標値に基づきＣＯ２排出クレジットを求める（ステップＳ３３０）。
【０１７９】
グラフ画像においてＣＯ２排出量と目標値の乖離状態を表すエリアを乖離状態に応じて指定色で表示する制御を行う（ステップＳ３４０）。
【０１８０】
ＣＯ２排出量及び目標値の比較結果に基づいてメッセージ画像又は、警告画像又は、警告報を表示する制御を行う（ステップＳ３５０）。
【０１８１】
本実施の形態によれば、ＣＯ２排出状況をリアルタイムにチェックすることができるので、実際のＣＯ２排出量と目標値との際を把握しながら、クレジットの購入の有無や購入のための予算の設定や修正を用意に行うことができる。また１〜２年先のクレジット売買量の予測も可能なので、事前に必要量のクレジットの調達を行うことも可能となる。
【０１８２】
なお監視画像の表示はモニタ画面全面を使用して行ってもよいし、モニタ画面を画面分割してその一部を使用して行ってもよい。
【０１８３】
以上本発明を適用した好適な実施の形態について説明してきたが、本発明の適用は上述した実施例に限定されない。
【０１８４】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１８５】
１０  コンピュータ、２０  データ記憶装置、３０  エネルギー使用量測定機器、１００ＣＯ２削減メディアシステム、１１０  処理部、１２０  エネルギー使用量取得部、１３０  監視画像生成部、１３２  データ演算部、１３３  グラフ画像生成部、１３４  メッセージ画像生成部、１３５  警告画像生成部、１３６  グループ設定部、１４０  パラメータ設定部、１６０  操作部、１７０  記憶部、１８０  情報記憶媒体、１８２  エネルギー使用量データ、１９０  表示部、１９２  音出力部、１９６  通信部、２１０  ネットワーク、２２０−１、２２０−２、２２０−３  ユーザコンピュータ、２３０  サーバ装置、２３２  通信装置、２３４  ホストコンピュータ、２３６  データベース、３１０  ＣＯ２排出量、３２０  ＣＯ２排出量の目標値、６００  メッセージ画像、６２０  予想ＣＯ２排出量、６６０  警告画像
【図１】
0005382790.tif 000002
【図２】
0005382790.tif 000003
【図３】
0005382790.tif 000004
【図４】
0005382790.tif 000005
【図１２】
0005382790.tif 000006
【図１３】
0005382790.tif 000007
【図１４】
0005382790.tif 000008
【図１５】
0005382790.tif 000009
【図１６】
0005382790.tif 000010
【図１７】
0005382790.tif 000011
【図１８】
0005382790.tif 000012
【図１９】
0005382790.tif 000013
【図２０】
0005382790.tif 000014
【図５】
0005382790.tif 000015
【図６】
0005382790.tif 000016
【図７】
0005382790.tif 000017
【図８】
0005382790.tif 000018
【図９】
0005382790.tif 000019
【図１０】
0005382790.tif 000020
【図１１】
0005382790.tif 000021